(57)【特許請求の範囲】
【請求項１】
ユーザ装置（ＵＥ）の国際移動体装置アイデンティティ（ＩＭＥＩ）のトラッキング方法であって、
無線ネットワーク制御装置（ＲＮＣ）がＵＥと無線リソース制御（ＲＲＣ）接続を確立する過程において、ＵＥのコールシグナリング接続が成功した後に、ＲＮＣが、非アクセス層アイデンティティ要求メッセージに応答するためにＵＥによって送信されるアイデンティティ応答メッセージから、ＵＥのＩＭＥＩを取得し、
ＲＮＣが、前記ＵＥのコールの過程において生成されたユーザログに、取得されたＩＭＥＩを記憶し、
前記シグナリング接続の成功は、Ｉｕインターフェース回路ドメインのシグナリング接続の成功であり、
前記ＲＮＣが、非アクセス層アイデンティティ要求メッセージに応答するためにＵＥによって送信されるＵＥのアイデンティティ応答メッセージから、ＵＥのＩＭＥＩを取得することは、
ＲＮＣが、非アクセス層アイデンティティ要求メッセージをシミュレーションして、当該非アクセス層アイデンティティ要求メッセージをＵＥに送信することと、
ＵＥが、前記非アクセス層アイデンティティ要求メッセージを受信した後に、ＩＭＥＩを含むアイデンティティ応答メッセージをＲＮＣに返すことと、
ＲＮＣが前記アイデンティティ応答メッセージから前記ＩＭＥＩを取得することと、
ＲＮＣが前記アイデンティティ応答メッセージにおけるＵＥによって記入されたアップリンクシリアル番号を読み取って、前記アップリンクシリアル番号のヌル動作補償メッセージをコアネットワーク（ＣＮ）に送信することと
を含む
ことを特徴とするユーザ装置（ＵＥ）の国際移動体装置アイデンティティ（ＩＭＥＩ）のトラッキング方法。
【請求項２】
前記シグナリング接続の成功は、Ｉｕインターフェースパケットドメインのシグナリング接続の成功、又はＩｕインターフェース回路ドメインのシグナリング接続の成功である
ことを特徴とする請求項１に記載のトラッキング方法。
【請求項３】
前記シグナリング接続の成功は、Ｉｕインターフェースパケットドメインのシグナリング接続の成功であり、
前記ＲＮＣが、非アクセス層アイデンティティ要求メッセージに応答するためにＵＥによって送信されるＵＥのアイデンティティ応答メッセージから、ＵＥのＩＭＥＩを取得することは、
ＲＮＣが、非アクセス層アイデンティティ要求メッセージをシミュレーションし、当該非アクセス層アイデンティティ要求メッセージをＵＥに送信することと、
ＵＥが、前記非アクセス層アイデンティティ要求メッセージを受信した後に、ＩＭＥＩを含むアイデンティティ応答メッセージをＲＮＣに返すことと、
ＲＮＣが前記アイデンティティ応答メッセージから前記ＩＭＥＩを取得することと
を含むことを特徴とする請求項１に記載のトラッキング方法。
【請求項４】
ＲＮＣが、非アクセス層アイデンティティ要求メッセージに応答するためにＵＥによって送信されるＵＥのアイデンティティ応答メッセージから、ＵＥのＩＭＥＩを取得する前に、
ＲＮＣがＵＥのコールの確立原因を検出して、ＵＥのコールにおいてＩＭＥＩが取得する必要があることを決定することを更に含む
ことを特徴とする請求項１又は３に記載のトラッキング方法。
【請求項５】
ＲＮＣが、非アクセス層アイデンティティ要求メッセージに応答するためにＵＥによって送信されるＵＥのアイデンティティ応答メッセージから、ＵＥのＩＭＥＩを取得することは、
コアネットワークが非アクセス層アイデンティティ要求メッセージをＵＥに送信することと、
ＵＥが、前記非アクセス層アイデンティティ要求メッセージを受信した後に、ＩＭＥＩを含むアイデンティティ応答メッセージをＲＮＣに返すことと、
ＲＮＣが前記アイデンティティ応答メッセージから前記ＩＭＥＩを取得することと、
ＲＮＣが前記アイデンティティ応答メッセージをコアネットワークに送信することと
を含むことを特徴とする請求項２に記載のトラッキング方法。
【請求項６】
ＲＮＣが、前記ＵＥのコールの過程において生成されたユーザログに、取得されたＩＭＥＩを記憶した後、
ネットワーク運営維持分析システムが、ＩＭＥＩ情報に応じて、ＵＥシステム維持のために用いられる、国際移動体加入者識別番号（ＩＭＳＩ）とＩＭＥＩ対照表とを生成すること、又は、
ネットワーク運営維持分析システムが、ＩＭＥＩ情報に応じて、ＵＥシステム維持のために用いられるＩＭＳＩとＩＭＥＩ対照表とを更新することを含む
ことを特徴とする請求項１に記載のトラッキング方法。
【請求項７】
ユーザ装置（ＵＥ）の国際移動体装置アイデンティティ（ＩＭＥＩ）のトラッキング無線ネットワーク制御装置であって、
ＲＮＣがＵＥとＲＲＣ接続を確立する過程において、ＵＥのコールのシグナリング接続が成功した後に、非アクセス層アイデンティティ要求メッセージに応答するためにＵＥによって送信されるＵＥのアイデンティティ応答メッセージから、ＵＥのＩＭＥＩを取得するように構成された取得モジュールと、
前記ＵＥのコールの過程において生成されたユーザログに、取得されたＩＭＥＩを記憶するように構成された記憶モジュールと
を含み、
前記取得モジュールは、
非アクセス層アイデンティティ要求メッセージをシミュレーションして、当該非アクセス層アイデンティティ要求メッセージをＵＥに送信するように構成された要求モジュールと、
ＵＥから返された、ＩＭＥＩを含むアイデンティティ応答メッセージを受信するように構成された受信モジュールとを更に含み、
前記シグナリング接続の成功が、Ｉｕインターフェース回路ドメインのシグナリング接続の成功である場合、前記無線ネットワーク制御装置は、
前記アイデンティティ応答メッセージにおけるＵＥによって記入されたアップリンクシリアル番号を読み取るように構成された読取モジュールと、
前記アップリンクシリアル番号のヌル動作補償メッセージをＣＮに送信するように構成された送信モジュールとを更に含む
ことを特徴とするＵＥのＩＭＥＩのためのトラッキング無線ネットワーク制御装置。
【請求項８】
ＵＥのコールの確立原因を検出して、ＵＥのコールにおいてＩＭＥＩが取得する必要があることを決定した後に、前記取得モジュールを起動するように構成された検出モジュールを更に含むことを特徴とする
請求項７に記載のトラッキング無線ネットワーク制御装置。
【発明の詳細な説明】
【技術分野】
【０００１】
本発明は、無線通信トラッキング方法及びトラッキング無線ネットワーク制御装置（ＲＮＣ：Ｒａｄｉｏ  Ｎｅｔｗｏｒｋ  Ｃｏｎｔｒｏｌ）に関し、特に、第三世代（３Ｇ）移動体通信システムにおいてＲＮＣによりユーザ装置（ＵＥ：Ｕｓｅｒ  Ｅｑｕｉｐｍｅｎｔ）の国際移動体装置アイデンティティ（ＩＭＥＩ：Ｔｈｅ  Ｉｎｔｅｒｎａｔｉｏｎａｌ  Ｍｏｂｉｌｅ  Ｓｔａｔｉｏｎ  Ｅｑｕｉｐｍｅｎｔ  Ｉｄｅｎｔｉｔｙ）をトラッキングするための方法及びＲＮＣに関する。
【背景技術】
【０００２】
第三世代移動体通信技術によって、より多くのサービスを展開するためのプラットフォームが提供され、ＵＥ端末は、既存の音声サービスを利用するとともに、データサービスを楽しむことができる。このように、ネットワーク及び端末の性能に対する要求がより高くなり、継続的にネットワーク構成を最適化し、端末の性能を向上させる必要がある。
【０００３】
現在、ネットワーク運営維持分析方法において、ドライブテスト、性能集計などのような一般的に用いられる方法は、帰納的分析方法であって、発生したイベントの原状をそのまま復元できない欠点がある。例えば、コールが切断されたある重要な顧客からの苦情がある場合、最適化を行うネットワークエンジニアは、現場でテストしても、問題が再現されずに、分析も解決もできないという、非常に悪い状況となる場合がよくある。最適化を行うネットワークエンジニアは、更に、運営維持センターの重要業績評価指標（ＫＰＩ：Ｋｅｙ  Ｐｅｒｆｏｒｍａｎｃｅ  Ｉｎｄｉｃａｔｏｒ）の集計をチェックする場合、指標がとても良くできたものであったとしても、その顧客のコールについての詳しい情報がシステムによって記録されていないため、問題点を見つけることができない。
【０００４】
これに加えて、既存のネットワーク運営維持分析方法において、警報とパフォーマンスカウンタがいずれもネットワークシステム装置に基づいてネットワークの運用状況を反映するが、警報とパフォーマンスカウンタのいずれもが、ネットワークにおいて端末装置の異なるタイプの各コールの具体的詳細を反映できず、端末装置のタイプに基づき、またＵＥ粒度パケットに基づいている、ＫＰＩの集計や、確率分布の分析を行うこともできない。
【０００５】
無線ネットワーク制御装置（ＲＮＣ：Ｒａｄｉｏ  Ｎｅｔｗｏｒｋ  Ｃｏｎｔｒｏｌ）は、ネットワーク側におけるシステム装置の中間リンクとして、Ｕｕインターフェースの無線リソース、及びＩｕｂ、Ｉｕ、Ｉｕｒインターフェースの地上伝送ベアラリソースの、管理や割り当てを担当する。ＵＥのコール過程において、ユーザ装置の国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）、シグナリング、データのベアラ確立、及び伝送過程に対して、ＲＮＣは、記録及びトラッキングを実行することができる。ＲＮＣは、ネットワーク全体における異なる端末タイプのユーザ装置に向いているため、ネットワーク性能、及びネットワークにおける異なるＵＥのＩＭＳＩの性能に対して、ＲＮＣが関連データを収集することにより、ＵＥのコールログを生成することができる。このように、端末ＵＥとネットワークに基づいて、ＫＰＩの集計や、ネットワークの運用状況の分析が実行される。
【０００６】
ＩＭＥＩは、ネットワークにおけるＵＥのアイデンティティの一つであり、シリアル番号とも呼ばれ、携帯電話のアイデンティティの識別を支援することが最も重要な機能である。
【０００７】
第三世代標準化プロジェクト２５．００３（３ＧＰＰ２５．００３）において、ＩＭＥＩは、ＩＭＥＩと、ＩＭＥソフトウェアバージョン（ＩＭＥＩＳＶ）との２つに分けられて定義されている。ＩＭＥＩの構成は、図１に示すように、１５桁の数字で構成される。その中で、タイプ割り当てコード（ＴＡＣ：Ｔｙｐｅ  Ａｌｌｏｃａｔｉｏｎ  Ｃｏｄｅ）が６桁を占め、ファイナルアセンブリコード（ＦＡＣ：Ｆｉｎａｌ  Ａｓｓｅｍｂｌｙ  Ｃｏｄｅ）が２桁を占め、シリアル番号（ＳＮＲ：Ｓｅｒｉａｌ  Ｎｕｍｂｅｒ）が６桁を占める。当該シリアル番号（ＳＮＲ：Ｓｅｒｉａｌ  Ｎｕｍｂｅｒ）は、ある型番のＴＡＣ（タイプ割り当てコード）のための固有のシリアル番号であり、また、１桁のアイドル数字が端末によって伝送され、一般的にチェックディジットに用いられる。当該チェックディジットは、ＴＡＣ、ＦＡＣ及びＳＮＲから構成された１４桁の数字をチェックする。
【０００８】
ＩＭＥＩＳＶは、ＩＭＥＩと、ソフトウェアバージョン番号（ＳＶＮ：Ｓｏｆｔｗａｒｅ  Ｖｅｒｓｉｏｎ  Ｎｕｍｂｅｒ）とから構成される。その中で、ＳＶＮはＩＭＥＩ装置のソフトウェアバージョン番号を示し、ＩＭＥＩＳＶの構造は、図２に示すように、当該構造うち、はじめの１４桁の数字がＩＭＥＩ構造であり、１桁のチェックディジットがあり、最後の２桁の数字がＳＶＮとして追加されて用いられる。なお、ＳＶＮはメーカーによって割り当てられる。
【０００９】
従って、ＩＭＥＩは、１５桁の数字又は１６桁の数字で構成されている。一般的に、ＴＡＣは、端末のメーカー型番を示し、ＦＡＣは、端末を最後に組み立てる工場の番号を示す。各工場は特定のコードを持つが、当該特定のコードは、その端末が製造された国を示すコードではない。そのため、ＦＡＣは、更に、端末の原産地のコードと見なすこともできる。
【００１０】
ＲＮＣは、ＵＥのコールの過程の情報を収集する時に、ＩＭＥＩ情報を直接取得することができない。ＲＮＣは、ＩＭＥＩ情報を記録し、ＵＥのコールの過程で生成されたユーザログを参照すると、端末装置に対応するメーカー、型番、及びバージョン情報に応じて集計が実行可能である。これにより、ネットワークにおける異なる端末装置のタイプの性能を取得し、端末にバージョンアップ、技術的改善、及びトラブル解決を促すことができる。
【発明の概要】
【発明が解決しようとする課題】
【００１１】
本発明は、ＲＮＣがＩＭＥＩ情報を直接取得できない問題を解決するために、ＲＮＣによってＵＥのＭＥＩをトラッキングするための方法及びＲＮＣを提供することを主要な目的とする。
【課題を解決するための手段】
【００１２】
本発明の一形態に係るＵＥのＩＭＥＩのトラッキング方法は、ＲＮＣがＵＥと無線リソース制御（ＲＲＣ：Ｒａｄｉｏ  Ｒｅｓｏｕｒｃｅ  Ｃｏｎｔｒｏｌ）接続を確立する過程において、ＵＥのコールシグナリング接続が成功した後に、ＲＮＣが、非アクセス層アイデンティティ要求メッセージに応答するためにＵＥによって送信されるアイデンティティ応答メッセージから、ＵＥのＩＭＥＩを取得するステップと、
ＲＮＣが、前記ＵＥのコールの過程において生成されたユーザログに、取得されたＩＭＥＩを記憶するステップとを含む。
【００１３】
ここで、前記コールシグナリング接続の成功は、Ｉｕインターフェースパケットドメインのシグナリング接続の成功、又はＩｕインターフェース回路ドメインのシグナリング接続の成功である。
【００１４】
ここで、前記シグナリング接続の成功は、Ｉｕインターフェースパケットドメインのシグナリング接続の成功であり、
前記ＲＮＣが、非アクセス層アイデンティティ要求メッセージに応答するためにＵＥによって送信されるＵＥのアイデンティティ応答メッセージから、ＵＥのＩＭＥＩを取得することは、
ＲＮＣが、非アクセス層アイデンティティ要求メッセージをシミュレーションし、当該非アクセス層アイデンティティ要求メッセージをＵＥに送信することと、
ＵＥが、前記非アクセス層アイデンティティ要求メッセージを受信した後に、ＩＭＥＩを含むアイデンティティ応答メッセージをＲＮＣに返すことと、
ＲＮＣが前記アイデンティティ応答メッセージから前記ＩＭＥＩを取得することとを含む。
【００１５】
ここで、前記シグナリング接続の成功は、Ｉｕインターフェース回路ドメインのシグナリング接続の成功であり、
前記ＲＮＣが、非アクセス層アイデンティティ要求メッセージに応答するためにＵＥによって送信されるＵＥのアイデンティティ応答メッセージから、ＵＥのＩＭＥＩを取得することは、
ＲＮＣが、非アクセス層アイデンティティ要求メッセージをシミュレーションして、当該非アクセス層アイデンティティ要求メッセージをＵＥに送信することと、
ＵＥが、前記非アクセス層アイデンティティ要求メッセージを受信した後に、ＩＭＥＩを含むアイデンティティ応答メッセージをＲＮＣに返すことと、
ＲＮＣが前記アイデンティティ応答メッセージから前記ＩＭＥＩを取得することと、
ＲＮＣが前記アイデンティティ応答メッセージにおけるＵＥによって記入されたアップリンクシリアル番号を読み取って、前記アップリンクシリアル番号のヌル動作補償メッセージをコアネットワーク（ＣＮ：Ｃｏｒｅ  Ｎｅｔｗｏｒｋ）に送信することとを含む。
【００１６】
ここで、ＲＮＣが、非アクセス層アイデンティティ要求メッセージに応答するためにＵＥによって送信されるＵＥのアイデンティティ応答メッセージから、ＵＥのＩＭＥＩを取得する前に、
ＲＮＣがＵＥのコールの確立原因を検出して、ＵＥのコールにおいてＩＭＥＩが取得する必要があることを決定することを更に含む。
【００１７】
ここで、ＲＮＣが、非アクセス層アイデンティティ要求メッセージに応答するためにＵＥによって送信されるＵＥのアイデンティティ応答メッセージから、ＵＥのＩＭＥＩを取得することは、
ＣＮが非アクセス層アイデンティティ要求メッセージをＵＥに送信することと、
ＵＥが、前記非アクセス層アイデンティティ要求メッセージを受信した後に、ＩＭＥＩを含むアイデンティティ応答メッセージをＲＮＣに返すことと、
ＲＮＣが前記アイデンティティ応答メッセージから前記ＩＭＥＩを取得することと、
ＲＮＣが前記アイデンティティ応答メッセージをコアネットワークに送信することとを含む。
【００１８】
ここで、ＲＮＣが、前記ＵＥのコールの過程において生成されたユーザログに、取得されたＩＭＥＩを記憶した後、
ネットワーク運営維持分析システムが、ＩＭＥＩ情報に応じて、ＵＥシステム維持のために用いられる、ＩＭＳＩとＩＭＥＩ対照表とを生成すること、又は、
ネットワーク運営維持分析システムが、ＩＭＥＩ情報に応じて、ＵＥシステム維持のために用いられる、ＩＭＳＩとＩＭＥＩ対照表とを更新することを含む。
【００１９】
本発明の別の形態に係るＵＥのＩＭＥＩをトラッキングＲＮＣは、
ＲＮＣがＵＥとＲＲＣ接続を確立する過程において、ＵＥのコールのシグナリング接続が成功した後に、非アクセス層アイデンティティ要求メッセージに応答するためにＵＥによって送信されるＵＥのアイデンティティ応答メッセージから、ＵＥのＩＭＥＩを取得するように構成された取得モジュールと、
前記ＵＥのコール過程における生成されたユーザログに、取得されたＩＭＥＩを記憶するように構成された記憶モジュールとを含む。
【００２０】
ここで、前記取得モジュールは、
非アクセス層アイデンティティ要求メッセージをシミュレーションして、当該非アクセス層アイデンティティ要求メッセージをＵＥに送信するように構成された要求モジュールと、
ＵＥから返された、ＩＭＥＩを含むアイデンティティ応答メッセージを受信するように構成された受信モジュールとを更に含み、
前記シグナリング接続の成功は、Ｉｕインターフェース回路ドメインのシグナリング接続の成功である場合、前記無線ネットワーク制御装置は、
前記アイデンティティ応答メッセージにおけるＵＥによって記入されたアップリンクシリアル番号を読み取るように構成された読取モジュールと、
前記アップリンクシリアル番号のヌル動作補償メッセージをＣＮに送信するように構成された送信モジュールとを更に含む。
【００２１】
ここで、当該ＲＮＣは、ＵＥのコールの確立原因を検出して、ＵＥのコールにおいてＩＭＥＩが取得する必要があることを決定した後に、前記取得モジュールを起動するように構成された検出モジュールを更に含む。
【００２２】
従来技術と比べ、本発明の以下に示す有益な効果を有する。
【００２３】
１．本発明では、ＲＮＣがＵＥとＲＲＣ接続を確立する過程で、ＵＥのコールシグナリング接続が成功した場合、ＲＮＣが非アクセス層アイデンティティ要求メッセージに応答するためにＵＥによって送信されるＵＥのアイデンティティ応答メッセージから、ＵＥのＩＭＥＩを取得し、その後、ＲＮＣが、前記ＵＥのコール過程において生成されたユーザログに取得されたＩＭＥＩを記憶する。これによって、ネットワーク運営維持分析システムが、ユーザのコールログに応じて、ＩＭＥＩをトラッキングして異なる端末装置のタイプの各コールの具体的詳細を反映して、端末タイプのグループ化に基づく重要業績評価指標の集計分析を行うことができる。
【００２４】
２．ＲＮＣはＵＥのＩＭＥＩを取得するとともにコールタイプの収集するために用いられる取得過程を開始して、ＲＮＣは、ユーザコール確立原因を検出し、ＩＭＥＩを取得する過程を開始するかどうかを決定する必要があり、できるだけコール遅延及び無線インターフェースの負荷を増えないようにする。
【００２５】
３．ＲＮＣがＵＥのＩＭＥＩを取得する過程では、ＣＮ  ＩＭＥＩの収集を監視することで、シグナリングの重複送信による無線インターフェースの負荷を防止することができる。
【００２６】
本発明において、ＲＮＣは、ＩＭＥＩを取得した後に、ＵＥのコールの過程において生成されるユーザログに、取得したＩＭＥＩを記憶する。ユーザログには、ユーザの特徴情報と、コール過程の動作集計情報とを、詳しく記録されている。ネットワーク運営維持分析システムは、ユーザログのユーザアイデンティティ情報に基づいて、メンテナンスのために用いられる、ＩＭＳＩとＩＭＥＩ対照表とを生成し又は更新することができる。ネットワーク運営維持分析システムは、ユーザログにおけるユーザアイデンティティと対照表とを関連付けることで、ネットワークとユーザ装置アイデンティティ、例えばメーカー、端末タイプ、及びバージョンに基づいて集計分析を行う。これにより、ネットワーク運営維持分析システムの精度が向上し、ネットワークのメンテナンスが便利になる。
【図面の簡単な説明】
【００２７】
【図１】従来技術におけるＩＭＥＩの構成図である。
【図２】従来技術におけるＩＭＥＩＳＶの構成図である。
【図３】本発明に係るＵＥのＩＭＥＩのトラッキング方法のフローチャートである。
【図４】本発明においてＲＮＣが非アクセス層メッセージのパケットドメインをシミュレーションしてＩＭＥＩを取得するフローチャートである。
【図５】本発明においてＲＮＣが非アクセス層メッセージの回路ドメインをシミュレーションしてＩＭＥＩを取得するフローチャートである。
【図６】本発明に係るＵＥのＩＭＥＩをトラッキングするＲＮＣの、ＣＮ及びＵＥとの接続の構成ブロック図である。
【発明を実施するための形態】
【００２８】
以下、図面を参照して本発明の好適な実施形態を詳細に説明する。以下に説明される好適な実施形態は、本発明を記述及び説明することのみに用いられ、本発明を限定することに用いられないものと理解すべきである。
【００２９】
本発明は、第三世代移動体無線通信システムに基づき、分散型システムと集中型システムとに適用可能である。ＲＮＣは、ＩＭＥＩの取得過程を開始し、ＵＥのコール過程における生成されたユーザログに、取得されたＩＭＥＩを記憶する。ユーザログには、ユーザの特徴情報と、コール過程の動作集計情報が詳しく記録されている。ネットワーク運営維持分析システムは、記憶されたユーザログをネットワークとユーザ端末アイデンティティに基づいて集計を実行する。具体的には、セルや基地局に基づいてネットワークユーザの障害原因の分布を生成し、ＩＭＥＩの所属する端末装置のタイプに基づいて障害問題の確率分布集計を実行し、異なる端末装置のタイプが、ある障害問題が頻出する端末装置であるかどうかを検出する。
【００３０】
具体的に動作する場合、ＲＮＣは、収集された適用場面の構成に応じて、ＵＥのＩＭＥＩを取得する過程を開始する。ここで、前記適用場面は、全てのＵＥのコールタイプの過程を収集すること、異なるコールタイプの過程に基づいて収集開始すること、ＣＮのＩＭＥＩの収集過程を監視すること、及び収集しないことなどを含む。
【００３１】
全てのＵＥのコールタイプの過程を収集することは、ＵＥがＲＮＣと接続を確立するための要求さえすれば、ＲＮＣがＩＭＥＩを取得することを開始する。
【００３２】
異なるコールタイプの過程に基づいて収集開始することは、ＲＮＣがＵＥのコール確立原因を検出して、ＩＭＥＩを取得開始するかどうかを決定する。例えば、ＲＮＣが、位置エリア更新過程、ルーティングエリア更新過程、アタッチ要求過程において、ＩＭＥＩの取得などを含む特定の過程を指定する可能である。これにより、コール遅延及び無線インターフェースの負荷の増加を防止可能である。
【００３３】
ＣＮのＩＭＥＩの収集過程を監視することは、ＣＮがＩＭＥＩシグナリングの取得過程を開始することである。ＲＮＣは、非アクセス層デコードを行い、ＵＥからＣＮのＩＭＥＩによってフィードバックされたＩＭＥＩ応答メッセージを監視して、ＩＭＥＩ情報を読み取って記憶する。
【００３４】
収集しないことは、ＲＮＣがＩＭＥＩの収集過程を開始しないことである。
【００３５】
以下、図面を参照して技術的解決策の好適な実施形態を更に詳しく説明する。図３に示すように、ＵＥのＩＭＥＩのトラッキング方法は、以下のステップを含む。
【００３６】
Ｓ１１：ＲＮＣがＵＥとＲＲＣ接続を確立する過程において、ＵＥのコールシグナリング接続が成功した後に、ＲＮＣが、非アクセス層アイデンティティ要求（Ｉｄｅｎｔｉｔｙ  Ｒｅｑｕｅｓｔ）メッセージに応答するためにＵＥによって送信されるアイデンティティ応答メッセージから、ＵＥのＩＭＥＩを取得する。
【００３７】
Ｓ１２：ＲＮＣは、前記ＵＥのコール過程において生成されたユーザログに、取得されたＩＭＥＩを記憶する。
【００３８】
ここで、Ｓ１１におけるシグナリング接続が成功することは、Ｉｕインターフェースパケットドメインのシグナリング接続が成功し、又はＩｕインターフェース回路ドメインのシグナリング接続が成功することである。ＲＮＣが、非アクセス層においてＩＭＥＩを取得することによって、シグナリング取得プロセスをシミュレーションして、回路ドメインとパケットドメインとを区別する。回路ドメインとパケットドメインとのうちのいずれか一方のドメインがＩＭＥＩを取得することに成功した場合、他方のドメインはＩＭＥＩ取得プロセスをトリガしない。これによって、コール遅延及び無線インターフェースの負荷が軽減する。
【００３９】
以下、実際の適用においてＲＮＣがパケットドメインを介してＩＭＥＩを取得するための非アクセス層をシミュレーションするプロセスを詳細に説明する。パケットドメインにおいて、全てのＵＥのコールタイプのための過程を収集する場面は、Ｉｕインターフェースパケットドメインのシグナリング接続が成功したケースに該当する。
【００４０】
ＣＮが認証過程を開始しないと、ＲＮＣがＵｕインターフェースを介して非アクセス層アイデンティティ応答メッセージを自動的に直接シミュレーションして、ＩＭＥＩのダウンリンクダイレクト伝送メッセージを要求してＵＥに伝送する。
【００４１】
図４に示すように、ＣＮが認証過程を開始すると、ＲＮＣは、更に、Ｕｕインターフェースセキュリティモード過程を完了する必要がある。そして、Ｕｕインターフェースを介して非アクセス層アイデンティティ要求メッセージを自動的に直接シミュレーションして、ＩＭＥＩのダウンリンクダイレクト伝送メッセージを要求してＵＥに伝送する。
ＵＥは、前記非アクセス層アイデンティティ要求メッセージを受信して、ＣＮ要求であると認識すると、アイデンティティ応答メッセージに応答して、ＩＭＥＩを転送するアップリンクダイレクト伝送メッセージをＲＮＣに送信する。
ＲＮＣは、ＵＥのアイデンティティ応答メッセージに応答して、アップリンクダイレクト伝送メッセージから前記ＩＭＥＩを取得する。
ＲＮＣは、アップリンクダイレクト伝送メッセージを受信して、非アクセス層デコードを実行し、ＩＭＥＩを取得する。
【００４２】
コールタイプ過程に基づいて収集を開始する場面は、Ｉｕインターフェースパケットドメインのシグナリング接続が成功した場合、ＲＮＣは、ＵＥのコール確立原因を検出して、ＵＥコールにおいてＩＭＥＩを取得する必要があると決定する。
【００４３】
ＣＮが認証過程を開始しないと、ＲＮＣは、Ｕｕインターフェースを介して非アクセス層アイデンティティ要求メッセージを自動的に直接シミュレーションしてＩＭＥＩのダウンリンクダイレクト伝送メッセージを要求してＵＥに伝送する。
ＣＮが認証過程を開始すると、ＲＮＣが、更に、Ｕｕインターフェースセキュリティモードの過程を完了する必要がある。その後、ＲＮＣは、Ｕｕインターフェースを介して非アクセス層アイデンティティ要求メッセージのダウンリンクダイレクト伝送メッセージを自動的に直接シミュレーションしてＵＥに伝送する。
ＵＥは、前記非アクセス層アイデンティティ要求メッセージを受信して、ＣＮ要求であると認識すると、アイデンティティ応答メッセージに応答して、ＩＭＥＩを転送するアップリンクダイレクト伝送メッセージをＲＮＣに送信する。
ＲＮＣは、ＵＥのアイデンティティ応答メッセージに応答して、アップリンクダイレクト伝送メッセージから前記ＩＭＥＩを取得する。
ＲＮＣは、アップリンクダイレクト伝送メッセージを受信して、非アクセス層デコードを実行し、ＩＭＥＩを取得する。
【００４４】
ＣＮのＩＭＥＩの収集過程を監視する場面は、Ｉｕインターフェースパケットドメインのシグナリング接続が成功したケースに該当する。ＲＮＣが、非アクセス層アイデンティティ要求メッセージによって送信されるアイデンティティ応答メッセージからＣＮを介してＵＥのＩＭＥＩを取得する。下記のサブステップを含む。
ＣＮが、非アクセス層アイデンティティ要求メッセージをダウンリンクでＵＥに直接伝送するサブステップと、
ＵＥが、前記非アクセス層アイデンティティ要求メッセージを受信した後に、ＩＭＥＩを含むアイデンティティ応答メッセージをＲＮＣに返すサブステップと、
ＲＮＣが、前記アイデンティティ応答メッセージから前記ＩＭＥＩを取得するサブステップと、
ＲＮＣが前記アイデンティティ応答メッセージをＣＮに送信するサブステップとを含む。
【００４５】
実際の適用において、ＲＮＣが回路ドメインを介してＩＭＥＩを取得するために非アクセス層をシミュレーションするプロセス、以下の複数の場合において実行される。
【００４６】
回路ドメインで全てのＵＥのコールタイプの過程を収集する場面は、Ｉｕインターフェース回路ドメインのシグナリング接続が成功したケースに該当する。
ＣＮが認証過程を開始しないと、ＲＮＣは、Ｕｕインターフェースを介して非アクセス層アイデンティティ要求メッセージを自動的に直接シミュレーションしてＩＭＥＩのダウンリンクダイレクト伝送メッセージを要求してＵＥに伝送する。
図５に示すように、ＣＮが認証過程を開始すると、ＲＮＣは、更に、Ｕｕインターフェースセキュリティモード過程を完了する必要があり、その後、ＲＮＣは、Ｕｕインターフェースを介して非アクセス層アイデンティティ要求メッセージを自動的に直接シミュレーションしてＩＭＥＩのダウンリンクダイレクト伝送メッセージを要求してＵＥに伝送する。
ＵＥは、前記非アクセス層アイデンティティ要求メッセージを受信して、ＣＮ要求であると認識すると、アイデンティティ応答メッセージに応答して、ＩＭＥＩを転送するアップリンクダイレクト伝送メッセージをＲＮＣに送信する。
ＲＮＣは、アイデンティティ応答メッセージに応答して、ＵＥのアップリンクダイレクト伝送メッセージから前記ＩＭＥＩを取得し、アップリンクダイレクト伝送メッセージを受信して、アップリンクダイレクト伝送メッセージにおいて非アクセス層デコードを実行し、ＩＭＥＩを取得する。
ＲＮＣは、ＵＥのアイデンティティ応答メッセージに応答して、ＵＥのアップリンクダイレクト伝送メッセージにおける、ＵＥによって記入されたアップリンクシリアル番号を読み取る。
ＲＮＣは、前記アップリンクシリアル番号付きの非アクセス層における移動体管理ヌル（ＭＭ  ＮＵＬＬ：Ｍｏｂｉｌｉｔｙ  Ｍａｎａｇｅｍｅｎｔ  ＮＵＬＬ）シグナリングをシミュレーションして、回路ドメインＩｕインターフェースを介して当該シグナリングをＣＮに送信して更新する。
【００４７】
ここで、ＲＮＣは、ＣＮのアップリンクシグナリングシリアル番号を位置合わせるために、ローカルサイドでＩＭＥＩの取得をシミュレーションする過程で、ＵＥにより生成されたアップリンクシグナリングシリアル番号をできるだけ補償する必要があり、アイデンティティ要求メッセージを監視した後、ＵＥにより生成されたアップリンクシリアル番号を含む１つの移動体管理ヌルメッセージを挿入して、そのアップリンクシリアル番号をＣＮに伝送して更新する。
【００４８】
異なるコールタイプの過程に基づいて収集開始する場面は、Ｉｕインターフェース回路ドメインのシグナリング接続が成功したケースに該当にする。ＲＮＣが、ＵＥのコールの確立原因を検出して、ＵＥのコールにおいて取得される必要があるＩＭＥＬを決定する。
ＣＮが認証過程を開始しないと、ＲＮＣがＵｕインターフェースを介して非アクセス層アイデンティティ要求メッセージを自動的に直接シミュレーションしてＩＭＥＩのダウンリンクダイレクト伝送メッセージを要求してＵＥに伝送する。
ＣＮが認証過程を開始すると、ＲＮＣが、更に、Ｕｕインターフェースセキュリティモード過程を完了する必要があり、その後、ＲＮＣがＵｕインターフェースを介して非アクセス層アイデンティティ要求メッセージを自動的に直接シミュレーションしてＩＭＥＩのダウンリンクダイレクト伝送メッセージを要求してＵＥに伝送する。
ＵＥが前記非アクセス層アイデンティティ要求メッセージを受信して、ＣＮ要求であると認識すると、アイデンティティ応答メッセージに応答して、ＩＭＥＩを転送するアップリンクダイレクト伝送メッセージをＲＮＣに送信する。
ＲＮＣは、ＵＥのアイデンティティ応答メッセージに応答して、アップリンクダイレクト伝送メッセージにおいて前記ＩＭＥＩを取得し、アップリンクダイレクト伝送メッセージを受信して、ＩＭＥＩを取得するためにアップリンクダイレクト伝送メッセージにおいて非アクセス層デコードを実行する。
ＲＮＣはＵＥのアイデンディディ応答メッセージに応答して、アップリンクダイレクト伝送メッセージにおいて、ＵＥによって記入されたアップリンクシリアル番号を読み取る。
ＲＮＣが、前記アップリンクシリアル番号付きの非アクセス層における移動体管理ヌルシグナリングをシミュレーションして、回路ドメインＩｕインターフェースを介して移動体管理ヌルシグナリングをＣＮに送信して更新する。
【００４９】
ＣＮのＩＭＥＩの収集過程を監視する場面は、Ｉｕインターフェース回路ドメインのシグナリング接続が成功したケースに該当する。ＲＮＣは、非アクセス層アイデンティティ要求メッセージに応答するためにＵＥによって送信された、アクセス層アイデンティティ応答メッセージからＵＥのＩＭＥＩを取得する。下記のサブステップを含む。
ＣＮが、非アクセス層アイデンティティ要求メッセージをダウンリンクでＵＥに直接伝送するサブステップと、
ＵＥが、前記非アクセス層アイデンティティ要求メッセージを受信した後に、ＩＭＥＩを含むアイデンティティ応答メッセージをＲＮＣに返すサブステップと、
ＲＮＣが、前記アイデンティティ応答メッセージから前記ＩＭＥＩを取得するサブステップと、
ＲＮＣが前記アイデンティティ応答メッセージをＣＮに送信するサブステップとを含む。
【００５０】
ＲＮＣは、前記ＵＥのコール過程における生成されたユーザログに、取得されたＩＭＥＩを記憶した後に、ネットワーク運営維持分析システムは、ＩＭＥＩ情報に応じて、ユーザシステム維持用のＩＭＳＩとＩＭＥＩ対照表とを生成し又は更新し、ネットワーク全体のユーザログによってネットワークとユーザ装置アイデンティティに基づいて、ＫＰＩに関連する集計と分析を生成する。ここで、前記ユーザ装置アイデンティティは、メーカー、端末のタイプ、及びソフトウェアバージョンを含む。また、ユーザログは、ユーザアイデンティティと重要動作のシグナリングトラッキングを含む。
【００５１】
ユーザアイデンティティは、ＩＭＳＩ、ＩＭＥＩ、パケット一時モバイル加入者アイデンティティ（Ｐ−ＴＭＳＩ：Ｐａｃｋｅｔ  Ｔｅｍｐｏｒａｙ  Ｍｏｂｉｌｅ  Ｓｕｂｓｃｒｉｐｔｉｏｎ  Ｉｄｅｎｔｉｔｙ）、一時移動体アイデンティティ（ＴＭＳＩ：Ｔｅｍｐｏｒａｒｙ  Ｍｏｂｉｌｅ  Ｓｔａｔｉｏｎ  Ｉｄｅｎｔｉｔｙ）などのうちの１つ又は組合せであってよい。
【００５２】
重要動作のシグナリングトラッキングはＵＥのコールの過程のハンドオーバ、無線リソースの再構成、セル更新に関連するＩｕｂインターフェース、Ｕｕインターフェース、及びＩｕインターフェースのシグナリングを含む。
【００５３】
本発明の別の形態によれば、ＵＥのＩＭＥＩをトラッキングするＲＮＣが提供される。図６は、ＲＮＣがＣＮ及びＵＥと接続する構成ブロック図である。ＲＮＣは、更に、
ＲＮＣがＵＥとＲＲＣ接続を確立する過程において、ＵＥのコールのシグナリング接続が成功した後に、非アクセス層アイデンディディ要求メッセージに応答するためにＵＥによって送信されるＵＥのアイデンティティ応答メッセージから、ＵＥのＩＭＥＩを取得するように構成された取得モジュールと、
前記ＵＥのコールの過程において生成されたユーザログに、取得されたＩＭＥＩを記憶するように構成された記憶モジュールとを含む。
【００５４】
前記取得モジュールは、要求モジュール及び受信モジュールを更に含んでよく、前記ＲＮＣは、送信モジュール及び検出モジュールを更に含んでよい。
要求モジュールは、非アクセス層アイデンティティ要求メッセージをシミュレーションして、当該非アクセス層アイデンティティ要求メッセージをＵＥに送信するように構成され、
受信モジュールは、ＵＥから返された、ＩＭＥＩを含むアイデンティティ応答メッセージを受信するように構成され、
読取モジュールは、前記アイデンティティ応答メッセージにおけるＵＥによって記入されたアップリンクシリアル番号を読み取るように構成され、
送信モジュールは、読み取られた前記アイデンティティ応答メッセージにおけるＵＥによって記入されたアップリンクシリアル番号のヌル動作補償情報をＣＮに送信するように構成されている。
【００５５】
検出モジュールは、ＵＥのコールの確立原因を検出して、ＵＥのコールにおいてＩＭＥＩが取得する必要があることを決定して、取得モジュールを起動してＩＭＥＩを取得するように構成されている。
【００５６】
各モジュールの相互作用により、ＲＮＣシステムには、ＵＥのコールログとユーザ装置アイデンティティとの対照表を生成し、これによって、ネットワーク運営維持分析システムは、ＵＥのコールログに応じて、ＩＭＥＩの具体的詳細をトラッキングし、異なる端末装置のタイプの各コールの具体的詳細を反映し、異なるユーザ装置に対してネットワーク維持を実行することができる。
【００５７】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
0005636100.tif 000002
【図２】
0005636100.tif 000003
【図３】
0005636100.tif 000004
【図４】
0005636100.tif 000005
【図５】
0005636100.tif 000006
【図６】
0005636100.tif 000007